(57)【要約】【課題】  コンテンツ終了後の再生側の媒体の無信号を記録側の媒体に記録せずに、かつ再生側の媒体のコンテンツを表わす有信号を確実に記録側の媒体に記録することのできるダビング装置およびダビング方法を提供する。【解決手段】  記録制御部１４は、再生側の媒体で再生された再生信号が無信号であるのが所定時間継続したときに、記録側の媒体への記録を停止する。無信号消去部１７は、記録側の媒体に記録された所定時間の無信号期間を消去する。【選択図】        図１
2007026550.tif 000002
【特許請求の範囲】
【請求項１】
再生側の媒体で再生された再生信号を記録側の媒体に記録するダビング装置であって、
前記再生側の媒体で再生された再生信号が無信号である期間が所定時間継続したときに、前記記録側の媒体への記録を停止する記録制御部と、
前記記録側の媒体に記録された前記所定時間の無信号期間を消去する無信号消去部とを備え、
前記記録制御部は、前記所定時間の無信号の先頭が記録された記録側の媒体のアドレスを第１のアドレスとして保持し、前記所定時間の無信号の終了が記録された前記記録側の媒体のアドレスを第２のアドレスとして保持し、
前記無信号消去部は、前記記録側の媒体における前記第１のアドレスから前記第２のアドレスまでの無信号期間を消去し、
前記再生側の媒体は、ビデオテープである、ダビング装置。
【請求項２】
再生側の媒体で再生された再生信号を記録側の媒体に記録するダビング装置であって、
前記再生側の媒体で再生された再生信号が無信号である期間が所定時間継続したときに、前記記録側の媒体への記録を停止する記録制御部と、
前記記録側の媒体に記録された前記所定時間の無信号期間を消去する無信号消去部とを備えたダビング装置。
【請求項３】
前記記録制御部は、前記所定時間の無信号の先頭が記録された記録側の媒体のアドレスを第１のアドレスとして保持し、前記所定時間の無信号の終了が記録された前記記録側の媒体のアドレスを第２のアドレスとして保持し、
前記無信号消去部は、前記記録側の媒体における前記第１のアドレスから前記第２のアドレスまでの無信号期間を消去する、請求項２記載のダビング装置。
【請求項４】
前記再生側の媒体は、ビデオテープである、請求項３記載のダビング装置。
【請求項５】
再生側の媒体で再生された再生信号を記録側の媒体に記録するダビング方法であって、
前記再生側の媒体で再生された再生信号が無信号であるのが所定時間継続したときに、前記記録側の媒体への記録を停止する記録制御ステップと、
前記記録側の媒体に記録された前記所定時間の無信号期間を消去する無信号消去ステップとを含み、
前記記録制御ステップは、前記所定時間の無信号の先頭が記録された記録側の媒体のアドレスを第１のアドレスとして保持し、前記所定時間の無信号の終了が記録された前記記録側の媒体のアドレスを第２のアドレスとして保持し、
前記無信号消去ステップは、前記記録側の媒体における前記第１のアドレスから前記第２のアドレスまでの無信号期間を消去し、
前記再生側の媒体は、ビデオテープである、ダビング方法。
【請求項６】
再生側の媒体で再生された再生信号を記録側の媒体に記録するダビング方法であって、
前記再生側の媒体で再生された再生信号が無信号であるのが所定時間継続したときに、前記記録側の媒体への記録を停止する記録制御ステップと、
前記記録側の媒体に記録された前記所定時間の無信号期間を消去する無信号消去ステップとを含むダビング方法。
【請求項７】
前記記録制御ステップは、前記所定時間の無信号の先頭が記録された記録側の媒体のアドレスを第１のアドレスとして保持し、前記所定時間の無信号の終了が記録された前記記録側の媒体のアドレスを第２のアドレスとして保持し、
前記無信号消去ステップは、前記記録側の媒体における前記第１のアドレスから前記第２のアドレスまでの無信号期間を消去する、請求項６記載のダビング方法。
【請求項８】
前記再生側の媒体は、ビデオテープである、請求項７記載のダビング方法。
【発明の詳細な説明】
【技術分野】
【０００１】
本発明は、ダビング装置およびダビング方法に関する。
【背景技術】
【０００２】
再生側の媒体に記録されているコンテンツを再生して得られる再生信号を記録側の媒体へ記録するダビング装置が実用に供せられている。このようなダビング装置で問題になるのが、再生側の媒体のコンテンツの終了後の無信号が記録側の媒体へ記録されてしまうことである。特に、ビデオテープに記録されているコンテンツを記録側の媒体へ記録するときには、ビデオテープではコンテンツが終了することによって自動的に再生が終了されないので、問題となることが多い。
【０００３】
そこで、従来から、コンテンツ終了後の再生側の媒体の無信号部分を記録側の媒体へできるだけ記録しないようにしてダビングを行なう装置が考えられている。
【０００４】
たとえば、特許文献１には、記録再生装置は、ＶＣＲ再生信号をＤＶＤにダビングする動作を実行中、ＶＣＲ再生信号が無信号か有信号かを判別し、無信号の場合には記録状態から記録一時停止状態に変更し、ＶＣＲ再生信号の無記録部分をＤＶＤに記録しないようにし、記録一時停止状態が所定時間継続するか、ＶＣＲ再生制御部が再生状態から停止状態になったことを示す情報を受取った場合に、記録状態を記録一時停止状態から停止状態にしてダビングを停止する構成が開示されている。
【０００５】
また、特許文献２には、ダビング装置は、所定時間以上の無信号期間を検出し、かつサブコード信号を検出しないときに、記録装置に再生デジタル情報信号が供給されていないと判断し、再生装置によって再生されたデジタル情報信号の、記録装置による記録媒体への記録を停止するための構成が開示されている。
【特許文献１】特開２００４−２２０６４８号公報
【特許文献２】特開平１１−２３８２９４号公報
【発明の開示】
【発明が解決しようとする課題】
【０００６】
しかしながら、特許文献２のダビング装置では、所定時間分の無信号が記録媒体に記録されてしまう。
【０００７】
これに対して、特許文献１の記録再生装置では、無信号を検出すると直ぐに記録一時停止状態となるので、所定時間分の無信号が記録媒体に記録されることはないが、少しでも無信号部分を検出すると、それは記録されないので、コンテンツの途中に生じた少量の傷によって無信号部分が生じている場合に、本来記録すべきコンテンツを表わす有信号が記録されないことになる。
【０００８】
それゆえに、本発明の目的は、コンテンツ終了後の再生側の媒体の無信号を記録側の媒体に記録せずに、かつ再生側の媒体のコンテンツを表わす有信号を確実に記録側の媒体に記録することのできるダビング装置およびダビング方法を提供することである。
【課題を解決するための手段】
【０００９】
上記課題を解決するために、本発明は、再生側の媒体で再生された再生信号を記録側の媒体に記録するダビング装置であって、再生側の媒体で再生された再生信号が無信号である期間が所定時間継続したときに、記録側の媒体への記録を停止する記録制御部と、記録側の媒体に記録された所定時間の無信号期間を消去する無信号消去部とを備え、記録制御部は、所定時間の無信号の先頭が記録された記録側の媒体のアドレスを第１のアドレスとして保持し、所定時間の無信号の終了が記録された記録側の媒体のアドレスを第２のアドレスとして保持し、無信号消去部は、記録側の媒体における第１のアドレスから第２のアドレスまでの無信号期間を消去し、再生側の媒体は、ビデオテープである。
【００１０】
また、本発明は、再生側の媒体で再生された再生信号を記録側の媒体に記録するダビング装置であって、再生側の媒体で再生された再生信号が無信号である期間が所定時間継続したときに、記録側の媒体への記録を停止する記録制御部と、記録側の媒体に記録された所定時間の無信号期間を消去する無信号消去部とを備える。
【００１１】
好ましくは、記録制御部は、所定時間の無信号の先頭が記録された記録側の媒体のアドレスを第１のアドレスとして保持し、所定時間の無信号の終了が記録された記録側の媒体のアドレスを第２のアドレスとして保持し、無信号消去部は、記録側の媒体における第１のアドレスから第２のアドレスまでの無信号期間を消去する。
【００１２】
好ましくは、再生側の媒体は、ビデオテープである。
また、本発明は、再生側の媒体で再生された再生信号を記録側の媒体に記録するダビング方法であって、再生側の媒体で再生された再生信号が無信号であるのが所定時間継続したときに、記録側の媒体への記録を停止する記録制御ステップと、記録側の媒体に記録された所定時間の無信号期間を消去する無信号消去ステップとを含み、記録制御ステップは、所定時間の無信号の先頭が記録された記録側の媒体のアドレスを第１のアドレスとして保持し、所定時間の無信号の終了が記録された記録側の媒体のアドレスを第２のアドレスとして保持し、無信号消去ステップは、記録側の媒体における第１のアドレスから第２のアドレスまでの無信号期間を消去し、再生側の媒体は、ビデオテープである。
【００１３】
また、本発明は、再生側の媒体で再生された再生信号を記録側の媒体に記録するダビング方法であって、再生側の媒体で再生された再生信号が無信号であるのが所定時間継続したときに、記録側の媒体への記録を停止する記録制御ステップと、記録側の媒体に記録された所定時間の無信号期間を消去する無信号消去ステップとを含む。
【００１４】
好ましくは、記録制御ステップは、所定時間の無信号の先頭が記録された記録側の媒体のアドレスを第１のアドレスとして保持し、所定時間の無信号の終了が記録された記録側の媒体のアドレスを第２のアドレスとして保持し、無信号消去ステップは、記録側の媒体における第１のアドレスから第２のアドレスまでの無信号期間を消去する。
【００１５】
好ましくは、再生側の媒体は、ビデオテープである。
【発明の効果】
【００１６】
本発明のダビング装置およびダビング方法によれば、コンテンツ終了後の再生側の媒体の無信号を記録側の媒体に記録せずに、かつ再生側の媒体のコンテンツを表わす有信号を確実に記録側の媒体に記録することができる。
【発明を実施するための最良の形態】
【００１７】
以下、本発明の実施の形態について図面を用いて説明する。
図１は、本発明の実施形態のダビング装置の構成を示すブロック図である。
【００１８】
図１を参照して、ダビング装置１は、ＶＣＲ(Video Cassete Recorder)１１と、ＤＶＤ(Digital Versatile Disk)レコーダ１２と、ＨＤ（Hard Disk)レコーダ１３と、記録制御部１４と、タイマ１５と、無信号消去部１７とを備える。
【００１９】
ＶＣＲ１１は、ビデオテープが装着され、ビデオテープへの記録およびビデオテープの再生を制御する。
【００２０】
ＤＶＤレコーダ１２は、ＤＶＤが装着され、ＤＶＤへの記録およびＤＶＤの再生を制御する。
【００２１】
ＨＤレコーダ１３は、ハードディスクへの記録および再生を制御する。
ダビング時には、ビデオテープ、ＤＶＤおよびハードディスクのうちのいずれか１つが記録側の媒体となり、他のいずれか１つが再生側の媒体となる。
【００２２】
記録制御部１４は、再生側の媒体で再生された再生信号が無信号であるのが所定時間（たとえば３分）継続したときに、記録側の媒体への記録を停止する。より具体的には、記録制御部１４は、再生側の媒体で再生された再生信号が無信号の先頭であることを検出したときに、タイマ１５を起動し、タイマ１５から所定時間（たとえば３分）の経過の通知を受けるまでの間、再生信号が継続して無信号であったときに、記録側の媒体への記録を停止する。
【００２３】
また、記録制御部１４は、所定時間の無信号の先頭が記録された記録側の媒体のアドレスを第１のアドレスとして保持し、所定時間の無信号終了が記録された記録側の媒体のアドレスを第２のアドレスとして保持する。
【００２４】
タイマ１５は、記録制御部１４の指示で起動し、起動してから所定時間（たとえば３分）経過後に記録制御部１４に所定時間の経過を通知する。
【００２５】
無信号消去部１７は、記録側の媒体における所定時間（たとえば３分）の無信号期間、つまり第１のアドレスから第２のアドレスまでの無信号期間を消去する。すなわち、無信号消去部１７は、記録側の媒体の第１のアドレスから第２のアドレスまでの無信号を消去し、記録側の媒体のコンテンツの記録領域を定めた情報を作成する際に、第１のアドレスから第２のアドレスまでの領域が含まれないようにする。
【００２６】
（ダビング動作）
図２は、本発明の実施形態のダビング装置の動作手順を表わすフローチャートである。
ここでは、再生側の媒体としてビデオテープ、記録側の媒体としてＤＶＤが選択された場合について説明するが、他の媒体が選択された場合も同様の動作が行なわれる。
【００２７】
図２を参照して、まず、記録制御部１４は、ダビングを開始する。すなわち、記録制御部１４は、ビデオテープを再生させ、再生された再生信号のＤＶＤへの記録を開始させる（ステップＳ１０１）。
【００２８】
次に、記録制御部１４は、再生側のビデオテープが終了に達したとき、またはユーザから停止操作があったときに（ステップＳ１０２でＹＥＳ）、ダビングを終了する（ステップＳ１１０）。
【００２９】
ステップＳ１０２でＮＯの場合に、記録制御部１４は、再生側のビデオテープの再生信号が無信号期間の先頭のときには（ステップＳ１０３でＹＥＳ）、ＤＶＤに記録された無信号期間の先頭のアドレスを第１のアドレスとして保持するともに、タイマ１５を起動する（ステップＳ１０４）。
【００３０】
記録制御部１４は、タイマ１５を起動してから所定時間内に、再生側のビデオテープが終了に達したとき、またはユーザから停止操作があったときに（ステップＳ１０５でＹＥＳ）、ダビングを終了する（ステップＳ１１０）。
【００３１】
ステップＳ１０５でＮＯの場合に、記録制御部１４は、タイマ１５を起動してから所定時間内に無信号期間が終了しなかったときに（ステップＳ１０６でＮＯ）、ダビングを終了し（ステップＳ１０７）、さらに、ＤＶＤに記録された所定時間の無信号期間の終了のアドレスを第２のアドレスとして保持する（ステップＳ１０８）。
【００３２】
次に、無信号消去部１７は、ＤＶＤの所定時間の無信号期間、つまり第１のアドレスから第２のアドレスまでの記録領域の無信号期間を消去する（ステップＳ１０９）。
【００３３】
（ダビングの実行例）
図３（ａ）は、再生側の媒体（ビデオテープ）のある領域の記録状態を表わす。
【００３４】
図３（ａ）を参照して、ビデオテープのある領域には、コンテンツの部分Ａの領域、無信号期間Ｂの領域、コンテンツの部分Ｂの領域、無信号期間Ｄの領域が連続している。ここで、無信号期間Ｂの領域は、傷などによってコンテンツが消去された領域で、その期間は所定時間（３分）未満の１０秒とする。無信号期間Ｄは、コンテンツの終了後の領域であり、その期間は所定時間（３分）以上とする。
【００３５】
コンテンツを再生すると、コンテンツの部分Ａの領域、無信号期間Ｂの領域、コンテンツの部分Ｃの領域、無信号期間Ｄの領域が順次再生対象となる。
【００３６】
図３（ｂ）は、再生側の媒体（ビデオテープ）で再生された再生信号の記録側の媒体（ＤＶＤ）への記録が停止されたときの記録側の媒体（ＤＶＤ）のある領域の記録状態を表わす。
【００３７】
図３（ｂ）を参照して、ＤＶＤのある領域には、ビデオテープで再生されたコンテンツの部分Ａの領域、無信号期間Ｂの領域、コンテンツの部分Ｃの領域、無信号期間Ｄの一部（所定時間である３分の量）の領域が順次生成される。
【００３８】
つまり、無信号期間Ｂは所定時間（３分）未満のため、そのまま記録されるが、無信号期間Ｄは所定時間（３分）以上のため所定時間（３分）だけ記録が行なわれた後、記録が停止する。ここで、無信号期間Ｄの一部（所定時間である３分の量）を無信号期間Ｄ′とする。
【００３９】
図３（ｃ）は、記録側の媒体（ＤＶＤ）の所定時間（３分）の無信号期間が消去された後の記録側の媒体のある領域の記録状態を表わす。
【００４０】
図３（ｃ）を参照して、所定時間（３分）分の無信号期間Ｄ′が消去される。
以上のように、本発明の実施形態のダビング装置によれば、コンテンツ終了後の再生側の媒体の無信号を記録側の媒体に記録せずに、かつ再生側の媒体のコンテンツを表わす有信号を確実に記録側の媒体に記録することができる。
【００４１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４２】
【図１】本発明の実施形態のダビング装置の構成を示すブロック図である。
【図２】本発明の実施形態のダビング装置の動作手順を表わすフローチャートである。
【図３】（ａ）は、再生側の媒体のある領域の記録状態を表わす図であり、（ｂ）は、再生側の媒体で再生された再生信号の記録側の媒体への記録が停止されたときの記録側の媒体のある領域の記録状態を表わす図であり、（ｃ）は、記録側の媒体の所定時間の無信号期間が消去された後の記録側の媒体のある領域の記録状態を表わす図である。
【符号の説明】
【００４３】
１  ダビング装置、１１  ＶＣＲ、１２  ＤＶＤレコーダ、１３  ＨＤレコーダ、１４  記録制御部、１５  タイマ、１７  無信号消去部。
【図１】
2007026550.tif 000003
【図２】
2007026550.tif 000004
【図３】
2007026550.tif 000005